(57)【要約】【課題】  冷却ファンに問題が生じても、その問題がインバータの焼損に繋がる程度でなければ、インバータを続けて正常稼動することができるインバータの冷却運営装置を提供する。【解決手段】  インバータの冷却運営装置が開示される。本発明のインバータの冷却運営装置は、冷却ファンの電流を提供するファン制御部；及び前記冷却ファンの電流が既設定された範囲を外れるか否かを判断して、外れる場合は前記冷却ファンの既稼動電圧と異なる制御電圧で前記冷却ファンを制御する制御部；を含む。【選択図】  図１
2018157743.tif 000002
【特許請求の範囲】
【請求項１】
冷却ファンの電流を提供するファン制御部；及び
前記冷却ファンの電流が既設定された範囲を外れるか否かを判断して、外れる場合は、前記冷却ファンの既稼動電圧と異なる制御電圧で前記冷却ファンを制御する制御部；を含むものの、
前記制御部は、前記制御電圧を前記電流が既設定された範囲を外れる方向に従って決定することを特徴とする、インバータの冷却運営装置。
【請求項２】
前記制御部は、前記制御電圧による冷却ファンの稼動にもかかわらず、前記電流が既設定された範囲を外れる場合は、前記インバータの運転を停止することを特徴とする、請求項１に記載のインバータの冷却運営装置。
【請求項３】
インバータの内部温度を感知する温度感知部；をさらに含み、
前記制御部は、前記温度感知部によって感知された温度が既設定された温度を超えるか否かによってインバータの運転を停止することを特徴とする、請求項１に記載のインバータの冷却運営装置。
【請求項４】
インバータの内部温度を感知する温度感知部；をさらに含み、
前記制御部は、前記制御電圧による冷却ファンの稼動にもかかわらず、前記電流が既設定された範囲を外れる場合、及び前記温度感知部によって感知された温度が既設定された温度を超える場合を共に満たす場合に前記インバータの運転を停止することを特徴とする、請求項１に記載のインバータの冷却運営装置。
【請求項５】
前記制御部は、
前記冷却ファンの電流を受信して、前記制御電圧に関する信号を出力する操作部；及び、
直流リンクのキャパシタ両端に連結されて、前記制御電圧に関する信号を受信して、これに対応する制御電圧を生成して前記ファン制御部に提供するスイッチモード電圧供給部；を含むことを特徴とする、請求項１に記載のインバータの冷却運営装置。
【請求項６】
前記制御部は、
ゲート制御部；及びゲート駆動部；をさらに含み、
前記操作部は、前記制御電圧による冷却ファンの稼動にもかかわらず、前記電流が既設定された範囲を外れる場合は、ファンに対するトリップ信号を出力して、
前記ゲート制御部は、前記トリップ信号を受信して、前記トリップ信号に対応してインバータのスイッチング素子に対する制御信号を出力して、
前記ゲート駆動部は、前記制御信号によって前記スイッチング素子を駆動解除することを特徴とする、請求項５に記載のインバータの冷却運営装置。
【請求項７】
インバータの内部温度を感知する温度感知部；をさらに含み、
前記制御部は、
ゲート制御部；及びゲート駆動部；をさらに含み、
前記ゲート制御部は、前記温度感知部によって感知された温度が既設定された温度を超えるか否かによって前記ゲート駆動部に制御信号を出力して、
前記ゲート駆動部は、前記制御信号によって前記スイッチング素子を駆動解除することを特徴とする、請求項５に記載のインバータの冷却運営装置。
【請求項８】
インバータの内部温度を感知する温度感知部；をさらに含み、
前記制御部は、
ゲート制御部；及びゲート駆動部；をさらに含み、
前記操作部は、前記制御電圧による冷却ファンの稼動にもかかわらず、前記電流が既設定された範囲を外れる場合は、ファンに対するトリップ信号を出力して、
前記ゲート制御部は、前記制御電圧による冷却ファンの稼動にもかかわらず、前記電流が既設定された範囲を外れる場合、及び前記温度感知部によって感知された温度が既設定された温度を超える場合を共に満たす場合に前記ゲート駆動部に制御信号を出力して、
前記ゲート駆動部は、前記制御信号によって前記スイッチング素子を駆動解除することを特徴とする、請求項５に記載のインバータの冷却運営装置。
【発明の詳細な説明】
【技術分野】
【０００１】
本発明は、インバータの冷却運営装置に関する。
【背景技術】
【０００２】
インバータは、代表的な電力変換装置であって、交流電源の入力を受けて直流電源に変換した後、電動機を制御するために、変換された直流電源をさらに交流に変換して電動機を制御する装置である。
【０００３】
インバータはファン、ポンプ、エレベーター、移送装置、生産ラインなど、産業全般にわたって様々な形態に使用される。
【０００４】
一般的な電動機駆動用のインバータは、３相の交流電源の入力を受けて、整流回路を経て直流電源に変換して直流リンクのキャパシタに貯蔵した後、インバータ部で交流電源に変換して電動機を制御する。
【０００５】
インバータのような電力変換装置にはＩＧＢＴ、ＭＯＳＦＥＴなど、高周波スイッチング（ｓｗｉｔｃｈｉｎｇ）素子と大容量のキャパシタをメイン部品として使用する。このような部品は発熱が高いため、インバータはヒートシンク、冷却ファンなどの冷却手段が必ず必要である。冷却手段をまともに構成していなければ、インバータの寿命及び信頼性が著しく落ちて、インバータ市場における競争力も失うようになる。
【０００６】
現在、インバータ市場の主な競争力は、部品のサイズ（ｓｉｚｅ）及び費用であり、装置が小型化になりつつあるため、効率的な冷却手段は、インバータの核心技術の一つであると言える。
【０００７】
従来のインバータの冷却システム運営方法は、冷却ファンのコネクティング（ｃｏｎｎｅｃｔｉｎｇ)、異物流入などの問題による冷却ファンの電流に異常が生じると、トリップ信号を発生させてインバータの動作を停止する。しかし、インバータを停止すると、インバータを用いて行っていた作業も停止するため、従来の冷却システムの動作は、使用者に時間的かつ経済的な不利を招いた。
【発明の概要】
【発明が解決しようとする課題】
【０００８】
本発明が解決しようとする技術的課題は、冷却ファンに問題が生じても、その問題がインバータの焼損に繋がる程度でなければ、インバータを続けて正常稼動することができるインバータの冷却運営装置を提供することである。
【課題を解決するための手段】
【０００９】
上記のような技術的課題を解決するために本発明の一実施形態のインバータの冷却運営装置は、冷却ファンの電流を提供するファン制御部；及び前記冷却ファンの電流が既設定された範囲を外れるか否かを判断して、外れる場合は、前記冷却ファンの既稼動電圧と異なる制御電圧で前記冷却ファンを制御する制御部；を含むものの、前記制御部は、前記制御電圧を前記電流が既設定された範囲を外れる方向に従って決定することができる。
【００１０】
本発明の一実施形態において、前記制御部は、前記制御電圧による冷却ファンの稼動にもかかわらず、前記電流が既設定された範囲を外れる場合は前記インバータの運転を停止する。
【００１１】
本発明の一実施形態において、インバータの内部温度を感知する温度感知部；をさらに含み、前記制御部は、前記温度感知部によって感知された温度が既設定された温度を超えるか否かによってインバータの運転を停止する。
【００１２】
本発明の一実施形態において、インバータの内部温度を感知する温度感知部；をさらに含み、前記制御部は、前記制御電圧による冷却ファンの稼動にもかかわらず、前記電流が既設定された範囲を外れる場合、及び前記温度感知部によって感知された温度が既設定された温度を超える場合を共に満たす場合に前記インバータの運転を停止する。
【００１３】
本発明の一実施形態において、前記制御部は、前記冷却ファンの電流を受信して前記制御電圧に関する信号を出力する操作部；及び直流リンクのキャパシタ両端に連結されて、前記制御電圧に関する信号を受信し、これに対応する制御電圧を生成して前記ファン制御部に提供するスイッチモード電圧供給部；を含む。
【００１４】
本発明の一実施形態において、前記制御部は、ゲート制御部；及びゲート駆動部；をさらに含み、前記操作部は、前記制御電圧による冷却ファンの稼動にもかかわらず、前記電流が既設定された範囲を外れる場合は、ファンに対するトリップ信号を出力して、前記ゲート制御部は、前記トリップ信号を受信して、前記トリップ信号に対応してインバータのスイッチング素子に対する制御信号を出力して、前記ゲート駆動部は、前記制御信号によって前記スイッチング素子を駆動解除する。
【００１５】
本発明の一実施形態において、インバータの内部温度を感知する温度感知部；をさらに含み、前記制御部は、ゲート制御部；及びゲート駆動部；をさらに含み、前記ゲート制御部は、前記温度感知部によって感知された温度が既設定された温度を超えるか否かによって前記ゲート駆動部に制御信号を出力して、前記ゲート駆動部は、前記制御信号によって前記スイッチング素子を駆動解除する。
【００１６】
本発明の一実施形態において、インバータの内部温度を感知する温度感知部；をさらに含み、前記制御部は、ゲート制御部；及びゲート駆動部；をさらに含み、前記操作部は、前記制御電圧による冷却ファンの稼動にもかかわらず、前記電流が既設定された範囲を外れる場合はファンに対するトリップ信号を出力して、前記ゲート制御部は、前記制御電圧による冷却ファンの稼動にもかかわらず、前記電流が既設定された範囲を外れる場合、及び前記温度感知部によって感知された温度が既設定された温度を超える場合を共に満たす場合に前記ゲート駆動部に制御信号を出力して、前記ゲート駆動部は、前記制御信号によって前記スイッチング素子を駆動解除する。
【発明の効果】
【００１７】
本発明は、冷却ファンに問題が生じても、その問題がインバータの焼損に繋がる程度でなければ、インバータを続けて正常稼動できる効果がある。
【図面の簡単な説明】
【００１８】
【図１】本発明の一実施形態によるインバータの冷却運営装置を示した図面である。
【図２】本発明の一実施形態によるインバータの冷却運営方法を示した図面である。
【図３】本発明の一実施形態によるインバータの冷却運営装置の多様な信号の大きさを示した図面である。
【図４】本発明の一実施形態によるインバータの冷却運営装置の多様な信号の大きさを示した図面である。
【発明を実施するための形態】
【００１９】
本発明は、多様な変更を加えることができ、様々な実施形態を有するところ、特定実施形態を図面に例示して詳細な説明に詳説する。しかし、これは、本発明を特定実施形態について限定しようとするものではなく、本発明の思想及び技術範囲に含まれるあらゆる変更、均等物ないし代替物を含むと理解しなければならない。
【００２０】
以下、添付図面を参照して本発明による望ましい一実施形態を詳説する。
【００２１】
図１は、本発明の一実施形態によるインバータの冷却運営装置を示した図面である。
【００２２】
図１を参照すれば、整流部２１０は、交流電源３００の印加を受けて整流する。整流された電源は、平滑部２２０の直流リンク上のキャパシタ２２２によって平滑される。平滑された電源は、インバータ部２３０に連結されて、電動機４００への出力電源として使用される。
【００２３】
本発明の一実施形態によるインバータの冷却運営装置は、スイッチモード電圧供給部１１０、ファン制御部１２０、操作部１３０、ゲート制御部１４０、ゲート駆動部１５０及び温度感知部１６０を含む。
【００２４】
スイッチモード電圧供給部（Ｓｗｉｔｃｈｅｄ−Ｍｏｄｅ Ｐｏｗｅｒ Ｓｕｐｐｌｙ、ＳＭＰＳ)１１０は、直流リンクのキャパシタ２２２両端に連結されて、キャパシタ２２２の電圧を利用して冷却ファン２４０の駆動電圧（ＶFAN)を生成する。
【００２５】
スイッチモード電圧供給部１１０は、操作部１３０に連結されて、操作部１３０から制御電圧に関する信号（ＦＡＮVcon)を受信して、これに対応する制御電圧を冷却ファン２４０の駆動電圧（ＶFAN)で生成する。
【００２６】
ファン制御部１２０は、スイッチモード電圧供給部１１０及び操作部１３０と連結される。
【００２７】
ファン制御部１２０は、駆動電圧（ＶFAN)の入力を受けて、これを利用して冷却ファン２４０を駆動する。
【００２８】
ファン制御部１２０は、冷却ファン２４０の電流を感知して、電流に関する情報を操作部１３０に提供する。
【００２９】
操作部１３０は、ファン制御部１２０、ゲート制御部１４０及びスイッチモード電圧供給部１１０と連結される。
【００３０】
操作部１３０は、ファン制御部１２０から感知された電流に関する情報を受信して、感知された電流の大きさによってトリップ信号（ＦＡＮTrip）又は制御電圧に関する信号（ＦＡＮVcon)を生成する。操作部１３０は、生成されたトリップ信号（ＦＡＮTrip)はゲート制御部１４０に提供して、生成された制御電圧に関する信号（ＦＡＮVcon)はスイッチモード電圧供給部１１０に提供する。
【００３１】
ゲート制御部１４０は、操作部１３０及び温度感知部１６０と連結される。
【００３２】
ゲート制御部１４０は、操作部１３０から提供されたトリップ信号（ＦＡＮTrip)に従ってゲートのようなスイッチング素子２３２に対する制御信号（Ｇａｔｅ)を生成する。
【００３３】
ゲート制御部１４０は、温度感知部１６０から提供された温度情報（ＮＴＣ)に従ってスイッチング素子２３２に対する制御信号（Ｇａｔｅ)を生成する。
【００３４】
ゲート制御部１４０は、トリップ信号（ＦＡＮTrip）及び温度情報（ＮＴＣ)を全部活用して制御信号（Ｇａｔｅ)の生成有無を決定する。例えば、ゲート制御部１４０は、トリップ信号（ＦＡＮTrip)が受信されても、温度が設定温度より高くない場合には制御信号（Ｇａｔｅ)を生成しなくてもよい。
【００３５】
ゲート駆動部１５０は、受信された制御信号（Ｇａｔｅ)を利用して、スイッチング素子２３２にＰＷＭ（Ｐｕｌｓｅ  Ｗｉｄｔｈ  Ｍｏｄｕｌａｔｉｏｎ）信号を提供する。
【００３６】
ゲート駆動部１５０は、受信された制御信号（Ｇａｔｅ)がインバータの運転を中止するものであれば、スイッチング素子２３２の駆動を全部解除する方法でＰＷＭ信号をスイッチング素子２３２に提供する。
【００３７】
温度感知部１６０は、インバータ部２３０に配置されてインバータの内部温度を感知する。
【００３８】
温度感知部１６０は、ゲート制御部１４０に連結されて、感知された温度情報（ＮＴＣ)をゲート制御部１４０に提供する。
【００３９】
温度感知部１６０は、サーミスタのような熱抵抗素子を含む。本発明の一実施形態では、負特性サーミスタ（ＮＴＣ Ｔｈｅｒｍｉｓｔｏｒ：Ｎｅｇａｔｉｖｅ Ｔｅｍｐｅｒａｔｕｒｅ  Ｃｏｅｆｆｉｃｉｅｎｔ  Ｔｈｅｒｍｉｓｔｏｒ)を使用したが、実施形態によって異なるタイプの熱抵抗素子を使用してもよい 。
【００４０】
図２は、本発明の一実施形態によるインバータの冷却運営方法を示した図面である。
【００４１】
本発明の一実施形態によるインバータの冷却運営方法は、本発明の一実施形態によるインバータの冷却運営装置によって行うことができる。したがって、本発明の一実施形態による冷却運営方法は、スイッチモード電圧供給部１１０、操作部１３０、ゲート制御部１４０、ゲート駆動部１５０を含む制御部とファン制御部１２０及び温度感知部１６０を主に説明する。
【００４２】
Ｓ３０１段階において、制御部は、冷却ファン２４０の駆動電圧（ＶFAN_N)を生成して冷却ファン２４０に印加する。このとき、駆動電圧は、冷却ファン２４０が通常使用される定格電圧になってもよい。
【００４３】
Ｓ３０３段階において、ファン制御部１２０は、冷却ファン２４０の電流（ＩFAN)を感知して制御部に提供する。
【００４４】
Ｓ３０５段階において、制御部は、冷却ファン２４０の電流（ＩFAN)が既設定された範囲内に含まれるか否かを判断する。既設定された範囲内に含まれるとＳ３４１段階に進めて、含まれないとＳ３０７段階に進める。
【００４５】
既設定された範囲内に含まれるか否かは、次の［数１］によって判断される。
【００４６】
【数１】
2018157743.tif 000003
【００４７】
ここで、Ｉwarning,Lは許用電流の下限値、ＩFANは現在感知された冷却ファン２４０の電流、Ｉwarning,Hは許用電流の上限値を意味する。
【００４８】
Ｉwarning,Lは、正常電流の５０％の大きさと定義する。
【００４９】
Ｉwarning,Hは、正常電流の１５０％の大きさと定義する。
【００５０】
Ｓ３０７段階において、制御部は、冷却ファン２４０の電流が許用電流の下限値より小さいか否かを判断する。冷却ファン２４０の電流が許用電流の下限値より小さいとＳ３２５段階に進めて、小さくないとＳ３０９段階に進める。
【００５１】
Ｓ３０９段階において、制御部は、既駆動電圧（ＶFAN_N)より低い電圧である第１の制御電圧（ＶFAN_L)によって冷却ファン２４０を駆動する。Ｓ３０９段階に進めたことは、冷却ファン２４０で感知される電流が正常電流の上限値より高いことを意味するため、低い第１の制御電圧（ＶFAN_L)を冷却ファン２４０に提供することは、上がった電流を正常値に下げるためである。
【００５２】
Ｓ３１１段階において、ファン制御部１２０は、冷却ファン２４０の電流（ＩFAN)を感知して制御部に提供する。
【００５３】
Ｓ３１３段階において、制御部は、冷却ファン２４０の電流（ＩFAN)が既設定された範囲内に含まれるか否かを判断する。既設定された範囲内に含まれるとＳ３４１段階に進めて、含まれないとＳ３１５段階に進める。
【００５４】
Ｓ３１５段階において、制御部は、冷却ファン２４０の電流が許用電流の上限値より高いか否かを判断する。冷却ファン２４０の電流が許用電流の上限値より高いとＳ３１７段階に進めて、高くないとＳ３２５段階に進める。
【００５５】
Ｓ３１７段階において、制御部は、冷却ファン２４０に対するトリップ信号を出力する。
【００５６】
Ｓ３１９段階において、制御部は、温度感知部１６０が感知した温度（ＮＴＣ)が既設定された許容温度（ＮＴＣTrip)より小さいか否かを判断する。温度（ＮＴＣ)が既設定された許容温度（ＮＴＣTrip)より小さい場合はＳ３４１段階に進めて、小さくない場合はＳ３２１段階に進める。
【００５７】
Ｓ３２１段階において、制御部はゲートを駆動する信号を遮断する。
【００５８】
Ｓ３２３段階において、制御部はインバータの運転を停止して、すべての動作を終了する。
【００５９】
Ｓ３２５段階において、制御部は、既駆動電圧（ＶFAN_N)より高い電圧である第２の制御電圧（ＶFAN_H)によって冷却ファン２４０を駆動する。Ｓ３２５段階に進めたことは、冷却ファン２４０で感知される電流が正常電流の下限値より低いことを意味するため、高い第２の制御電圧（ＶFAN_H)を冷却ファン２４０に提供することは、下がった電流を正常値に上げるためである。
【００６０】
Ｓ３２７段階において、ファン制御部１２０は、冷却ファン２４０の電流（ＩFAN)を感知して制御部に提供する。
【００６１】
Ｓ３２９段階において、制御部は、冷却ファン２４０の電流（ＩFAN)が既設定された範囲内に含まれるか否かを判断する。既設定された範囲内に含まれるとＳ３４１段階に進めて、含まれないとＳ３３１段階に進める。
【００６２】
Ｓ３３１段階において、制御部は、冷却ファン２４０の電流が許用電流の下限値より低いか否かを判断する。冷却ファン２４０の電流が許用電流の下限値より低いとＳ３３３段階に進めて、低くないとＳ３０９段階に進める。
【００６３】
Ｓ３３３段階において、制御部は、冷却ファン２４０に対するトリップ信号を出力する。
【００６４】
Ｓ３３５段階において、制御部は、温度感知部１６０が感知した温度（ＮＴＣ)が既設定された許容温度（ＮＴＣTrip)より小さいか否かを判断する。温度（ＮＴＣ)が既設定された許容温度（ＮＴＣTrip)より小さい場合はＳ３４１段階に進めて、小さくない場合はＳ３３７段階に進める。
【００６５】
Ｓ３３７段階において、制御部はゲートを駆動する信号を遮断する。
【００６６】
Ｓ３３９段階において、制御部はインバータの運転を停止して、すべての動作を終了する。
【００６７】
上述したインバータの冷却運営方法によれば、制御部は、冷却ファン２４０の電流が既設定された範囲を外れる場合、制御電圧（ＶFAN_H又はＶFAN_L)を利用して冷却ファン２４０を駆動するようにする。制御部は、制御電圧（ＶFAN_H又はＶFAN_L)にもかかわらず、冷却ファン２４０の電流が既設定された範囲を外れる場合は、トリップ信号を出力することになる。一方、制御部は、冷却ファン２４０に対するトリップ信号が出力されても、インバータの内部温度（ＮＴＣ)が既設定された許容温度（ＮＴＣTrip)より小さい場合はインバータを正常動作して、許容温度の以上である場合のみゲート信号を遮断してインバータの運転を停止する。
【００６８】
図３は、本発明の一実施形態によるインバータの冷却運営装置の多様な信号の大きさを示したものである。
【００６９】
図３を参照すれば、ｔ１ないしｔ６は、各イベントに対する時刻を示す。ｔ１において、電源が印加されて、ゲート駆動信号及びＰＷＭ信号が正常動作する。冷却ファン２４０の駆動信号も正常駆動（ＦＡＮVcon)を表す。
【００７０】
ｔ２において、冷却ファン２４０の電流（ＩFAN)が上昇して、許用電流の上限（Ｉwarning,H)より上がったことが分かる。この場合、制御部は、第１の制御電圧に関する信号（ＦＡＮVcon_L)を出力して、冷却ファン２４０の駆動電圧を低くして冷却ファン２４０に流れる電流が減少するようにできる。
【００７１】
ｔ３において制御部は、冷却ファン２４０に流れる電流が既設定された範囲内に含まれることを確認して、冷却ファン２４０を正常駆動する。
【００７２】
ｔ４では、ｔ２と同じイベントが発生して、制御部はｔ２と同じ動作を行う。
但し、ｔ５において制御部は、制御電圧によって冷却ファン２４０を駆動したにもかかわらず、冷却ファン２４０に流れる電流が既設定された範囲内に含まれないことを確認して、トリップ信号（ＦＡＮTrip)を出力する。
【００７３】
ｔ６は、トリップ信号の出力後の温度（ＮＴＣ)が許容温度（ＮＴＣTrip)より高くなった場合を仮定したものであり、このとき、制御部は、ゲート駆動信号を、及びＰＷＭ信号の印加を中断する。
【００７４】
図４は、本発明の一実施形態によるインバータの冷却運営装置の多様な信号の大きさを示したものである。
【００７５】
図４を参照すれば、ｔ７ないしｔ１２は、各イベントに対する時刻を示す。ｔ７において、電源が印加されて、ゲート駆動信号及びＰＷＭ信号が正常動作する。冷却ファン２４０の駆動信号も正常駆動（ＦＡＮVcon)を表す。
【００７６】
ｔ８において、冷却ファン２４０の電流（ＩFAN)が下降して、許用電流の下限（Ｉwarning,L)より下がったことが分かる。この場合、制御部は、第２の制御電圧に関する信号（ＦＡＮVcon_H)を出力し、冷却ファン２４０の駆動電圧を低くして、冷却ファン２４０に流れる電流が増加するようにする。
【００７７】
ｔ９において制御部は、冷却ファン２４０に流れる電流が既設定された範囲内に含まれることを確認して、冷却ファン２４０を正常駆動する。
【００７８】
ｔ１０では、ｔ８と同じイベントが発生して、制御部はｔ８と同じ動作を行う。
【００７９】
但し、ｔ１１において制御部は、制御電圧によって冷却ファン２４０を駆動したにもかかわらず、冷却ファン２４０に流れる電流が既設定された範囲内に含まれないことを確認して、トリップ信号（ＦＡＮTrip)を出力する。
【００８０】
ｔ１２は、トリップ信号の出力後の温度（ＮＴＣ)が許容温度（ＮＴＣTrip)より高くなった場合を仮定したものであり、このとき、制御部は、ゲート駆動信号を、及びＰＷＭ信号の印加を中断する。
【００８１】
従来のインバータの冷却運営方法は、インバータの温度が過熱して焼損するリスクのある程度でなくても、冷却ファン２４０に問題が生じると、インバータの動作を強制停止させた。しかし、本発明は、冷却ファン２４０に流れる電流によって１次に冷却ファン２４０の電流正常化を試みて、それにもかかわらず、冷却ファン２４０に流れる電流が正常値を維持しなければトリップ信号を出力するものの、インバータの内部温度が設定値の未満であれば、インバータを停止させないためインバータ運転の効率を高めることができる。
【００８２】
以上、本発明による実施形態を説明したが、これは、例示的なものに過ぎず、該分野で通常の知識を有する者であれば、これより多様な変形及び均等な範囲の実施形態が可能であることは理解される。したがって、本発明の真な技術的保護の範囲は、次の特許請求の範囲によって定めるべきである。
【符号の説明】
【００８３】
１１０：スイッチモード電圧供給部
１２０：ファン制御部
１３０：操作部
１４０：ゲート制御部
１５０：ゲート駆動部
１６０：温度感知部
２１０：整流部
２２０：平滑部
２３０：インバータ部
２４０：冷却ファン
３００：交流電源
４００：電動機
【図１】
2018157743.tif 000004
【図２】
2018157743.tif 000005
【図３】
2018157743.tif 000006
【図４】
2018157743.tif 000007